(57)【特許請求の範囲】
【請求項１】
撮像素子を有するビデオスコープと、表示装置が接続されるとともに前記ビデオスコープが着脱自在に接続されるプロセッサとを備えた電子内視鏡装置であって、
前記プロセッサに設けられ、被写体を照明するための照明光を放射する光源ランプと、
前記ビデオスコープ内に設けられ、前記撮像素子から読み出されるカラー画像信号に対して色調整処理を施す色調整手段と、
前記ビデオスコープ内に設けられ、色調整処理を施すためにランプの種類に応じて設定される基準データである色調整データが格納される色データメモリと、
分光分布特性によって種類の異なる前記光源ランプの種類を判別するランプ判別手段とを備え、
前記色調整手段が、前記カラー画像信号から分離されて得られる輝度信号および色信号に基いて赤色（Ｒ），緑色（Ｇ），青色（Ｂ）の原色信号を生成する原色信号生成手段と、
前記Ｒ，Ｇ，Ｂの原色信号における相対的割合を調整してカラーバランスを調整するホワイトバランス調整手段と、
カラーバランス調整された前記Ｒ，Ｇ，Ｂの原色信号に対してガンマ補正をするガンマ補正処理手段と、
ガンマ補正処理された前記Ｒ，Ｇ，Ｂの原色信号に基いて、輝度信号、色差信号を映像信号として生成する映像信号生成手段とを有し、
前記色調整手段が、前記色データメモリに格納された色調整データの中から、前記ランプ判別手段により判別されたランプの種類に応じた色調整データであって、原色信号生成の演算に用いられる係数データ、カラーバランス調整におけるゲインデータ、ガンマ補正におけるガンマ特性データ、そして映像信号生成における位相コントロールおよび出力調整データを選択的に読み出し、
前記原色信号生成手段が読み出された係数データに基づいて原色信号を生成し、前記ホワイトバランス調整手段が読み出されたゲインデータに基づいてカラーバランス調整し、前記ガンマ補正処理手段が読み出されたガンマ特性データに基づいてガンマ補正し、そして、前記映像信号生成手段が読み出された位相コントロールおよび出力調整データに基いて映像信号を生成することを特徴とする電子内視鏡装置。
【請求項２】
前記光源ランプとして、キセノンランプ、メタルハライドランプ、ハロゲンランプのいずれかのランプが適用され、
前記ランプ判別手段が、その３つのランプのうちいずれのランプであるかを判別することを特徴とする請求項１に記載の電子内視鏡装置。
【請求項３】
撮像素子を有し、表示装置が接続されるとともに光源ランプが設けられたプロセッサへ着脱自在に装着される電子内視鏡装置のビデオスコープであって、
前記撮像素子から読み出されるカラー画像信号に対して色調整処理を施す色調整手段と、
色調整処理を施すためにランプの種類に応じて設定される基準データである色調整データが格納される色データメモリと、
分光分布特性によって種類の異なる前記光源ランプの種類を判別するランプ判別手段とを備え、
前記色調整手段が、前記カラー画像信号から分離されて得られる輝度信号および色信号に基いて赤色（Ｒ），緑色（Ｇ），青色（Ｂ）の原色信号を生成する原色信号生成手段と、
前記Ｒ，Ｇ，Ｂの原色信号における相対的割合を調整してカラーバランスを調整するホワイトバランス調整手段と、
カラーバランス調整された前記Ｒ，Ｇ，Ｂの原色信号に対してガンマ補正をするガンマ補正処理手段と、
ガンマ補正処理された前記Ｒ，Ｇ，Ｂの原色信号に基いて、輝度信号、色差信号を映像信号として生成する映像信号生成手段とを有し、
前記色調整手段が、前記色データメモリに格納された色調整データの中から、前記ランプ判別手段により判別されたランプの種類に応じた色調整データであって、原色信号生成の演算に用いられる係数データ、カラーバランス調整におけるゲインデータ、ガンマ補正におけるガンマ特性データ、そして映像信号生成における位相コントロールおよび出力調整データを選択的に読み出し、
前記原色信号生成手段が読み出された係数データに基づいて原色信号を生成し、前記ホワイトバランス調整手段が読み出されたゲインデータに基づいてカラーバランス調整し、前記ガンマ補正処理手段が読み出されたガンマ特性データに基づいてガンマ補正し、そして、前記映像信号生成手段が読み出された位相コントロールおよび出力調整データに基いて映像信号を生成することを特徴とする電子内視鏡装置のビデオスコープ。
【発明の詳細な説明】
【０００１】
【発明の属する技術分野】
本発明は、撮像素子を有し、胃内部などの映像を撮影するため体内へ挿入されるビデオスコープと、ビデオスコープおよびモニタなどが接続されるプロセッサとを備えた電子内視鏡装置に関し、特に、撮像素子から読み出される画像信号に対する色調整処理に関する。
【０００２】
【従来の技術】
電子内視鏡装置には、観察部位を照射するための光を放射する光源ランプが設けられており、光源ランプから放射された光はビデオスコープ内に設けられたライトガイド（光ファイバー束）によってスコープ先端へ伝達される。光が観察部位に反射することにより、被写体像が撮像素子に形成され、被写体像に応じた画像信号が撮像素子から読み出される。電子内視鏡装置の場合、カラー映像をモニタに表示するため、面順次方式あるいは同時方式による撮像方式が採用されており、赤（Ｒ），緑（Ｇ），青（Ｂ）あるいは補色など所定の色成分の信号によって構成されるカラー画像信号が撮像素子から読み出される。読み出されたカラー画像信号に対しては色調整処理が施され、白い被写体を撮像したときに白い被写体像を映し出すホワイトバランス調整やビデオ信号の色差信号に対して色相に関する位相調整処理などが施される。これにより、色再現性のよい被写体像をモニタに映し出すことができる。
【０００３】
【発明が解決しようとする課題】
プロセッサ内に設けられる光源ランプとして、ハロゲンランプ、メタルハライドランプ、キセノンランプ等が使用されるが、これらランプ毎に分光（スペクトル）分布が異なる。例えば、ハロゲンランプの光は黄色の波長領域の光成分が多いために黄色味を帯びた色の光であり、また、キセノンランプは昼光に近い白色光を放射する。このような分光分布（色温度）の違いにより、撮像素子から読み出されるカラー画像信号の色成分は、同じ被写体を撮像しても、使用されるランプによって異なる。そのため、従来の電子内視鏡装置では、使用されるランプの分光分布特性に応じた色調整処理が施されている。
【０００４】
ところが、使用されるランプに応じた色調整処理を実行する信号処理回路が一度形成されてしまうと、信号処理回路を設計変更しない限り、他の種類のランプに変更してプロセッサを使用することができない。他のランプを使用すると、そのランプには適切でない色調整を行ってしまい、色の再現性が悪くなる。従って、ビデオスコープ、プロセッサなどの電子内視鏡装置の構成要素を共有化して使用することができず、各ランプに対応する電子内視鏡装置を別々に設計しなければならない。
【０００５】
そこで、本発明では、様々な種類のランプそれぞれに応じて色調整処理を行うことができる電子内視鏡装置、およびその電子内視鏡装置のビデオスコープを得ることを目的とする。
【０００６】
【課題を解決するための手段】
本発明の電子内視鏡装置は、撮像素子を有するビデオスコープと、表示装置が接続されるとともにビデオスコープが着脱自在に接続されるプロセッサとを備えた電子内視鏡装置であり、光源ランプと、色調整手段と、ランプ判別手段とを備える。光源ランプは、プロセッサに設けられており、被写体を照明するための照明光を放射する。色調整手段は、撮像素子から読み出されるカラー画像信号に対して色調整処理を施す。ランプ判別手段は、光源ランプの種類を判別する。そして、色調整手段は、ランプ判別手段により検出されるランプの種類に応じて色調整処理を施すことを特徴とする。ランプの種類に応じて色調整を施すため、どのようなランプを使用しても良好な色再現性が維持される。また、ランプの種類が変更されても、色調整手段をそれに合わせて変更する必要がなく、複数のランプに対して信号処理手段が共有化される。
【０００７】
色調整手段は、ビデオスコープ内に設けられていることが望ましい。モニタへ出力する映像信号がビデオスコープ内で生成される場合、色調整手段もビデオスコープ内に設けられる。この場合、ランプの種類が異なる複数のプロセッサに対して１つのビデオスコープを共有して使用することができ、ビデオスコープが接続されると、使用されるプロセッサ内のランプの種類に応じて色調整が施される。
【０００８】
カラー画像信号の各色成分信号のゲイン値などを変えて色調整処理を施す場合、ビデオスコープは、色調整処理を施すためにランプの種類に応じて設定される基準データである色調整データが格納される色データメモリを更に有し、色調整手段は、データメモリに格納された色調整データの中からランプ判別手段により判別されたランプの種類に応じたデータを選択的に読み出し、読み出したデータに基いて色調整処理を施すことが望ましい。
【０００９】
例えば、光源ランプとして、キセノンランプ、メタルハライドランプ、ハロゲンランプのいずれかのランプが適用される。ランプ毎にそれぞれ分光特性が異なり、放射される光の色（色温度）も異なる。この場合、ランプ判別手段は、その３つのランプのうち、いずれのランプであるかを判別することが望ましい。
【００１０】
色調整処理に関しては、少なくともホワイトバランス調整処理が色調整処理に含まれる。好ましくは、ホワイトバランス調整処理に加え、分離された輝度信号と色信号に基いて原色信号を作成する処理、ガンマ補正処理、および原色信号から映像信号を生成する処理のいずれか、あるいはその中のいくつか、あるいはすべてが色調整処理に含まれる。例えば、色調整手段は、カラー画像信号から分離されて得られる輝度信号および色信号に基いて赤色（Ｒ），緑色（Ｇ），青色（Ｂ）の原色信号を生成する原色信号生成手段と、Ｒ，Ｇ，Ｂの原色信号における相対的割合を調整してカラーバランスを調整するホワイトバランス調整手段と、Ｒ，Ｇ，Ｂの原色信号に対してガンマ補正をするガンマ補正処理手段と、Ｒ，Ｇ，Ｂの原色信号に基いて、輝度信号、色差信号を映像信号として生成する映像信号生成手段とを有する。これら各手段において、色調整処理が施される。
【００１１】
本発明の電子内視鏡装置のビデオスコープは、撮像素子を有し、表示装置が接続されるとともに光源ランプが設けられたプロセッサへ着脱自在に装着される電子内視鏡装置のビデオスコープであって、撮像素子から読み出されるカラー画像信号に対して色調整処理を施す色調整手段と、光源ランプの種類を判別するランプ判別手段とを備え、色調整手段は、ランプの種類に応じて色調整処理を施すことを特徴とする。
【００１２】
【発明の実施の形態】
以下では、図面を参照して、本発明の実施形態である電子内視鏡装置について説明する。
【００１３】
図１は、本実施形態である電子内視鏡装置のブロック図である。ビデオスコープとプロセッサとを備えた電子内視鏡装置は、胃などの臓器を検査、手術などを行うための装置であり、検査等が開始されると、ビデオスコープが観察部位の撮影のため体内へ挿入される。
【００１４】
電子内視鏡装置では、撮像素子であるＣＣＤ５４を有するビデオスコープ５０と、ＣＣＤ５４から読み出される画像信号を処理するプロセッサ１０とが備えられ、被写体像を表示するモニタ３２がプロセッサ１０に接続される。ビデオスコープ５０はプロセッサ１０に着脱自在に接続され、また、プロセッサ１０には、キーボード３４も接続される。
【００１５】
ランプ点灯スイッチ（図示せず）がＯＮになると、ランプ制御部１１Ａを含むランプ電源１１からランプ１２へ電源が供給される。点灯したランプ１２から放射された光は、集光レンズ１４を介してビデオスコープ１０内に設けられた光ファイバー束５１の入射端５１Ａに入射する。光ファイバー束５１は、ランプ１２から放射される光を観察部位のあるビデオスコープ５０の先端側へ光を伝達する光ファイバーであり、光ファイバー束５１を通った光は出射端５１Ｂから出射する。これにより、拡散レンズである配光レンズ５２を介して観察部位Ｓに光が照射される。なお、本実施形態では、ランプ１２は、ハロゲンランプ、メタルハライドランプ、キセノンランプのうちいずれかのランプが適用される。
【００１６】
観察部位Ｓにおいて反射した光は、対物レンズ５３を通ってＣＣＤ５４の受光面に到達し、これにより観察部位Ｓの被写体像がＣＣＤ５４の受光面に形成される。本実施形態では、カラー撮像方式として単板同時式が適用されており、ＣＣＤの受光面上にはイエロー（Ｙｅ）、シアン（Ｃｙ）、マゼンタ（Ｍｇ）、グリーン（Ｇ）の色要素が市松状に並べられた補色カラーフィルタ（図示せず）が受光面の各画素に対応するよう配置されている。そして、ＣＣＤ５４では、補色カラーフィルタを通る色に応じた被写体像の画像信号が光電変換により発生し、所定時間間隔ごとに１フレームもしくは１フィールド分の画像信号が、色差線順次方式に従って順次読み出される。本実施形態では、カラーテレビジョン方式として例えばＮＴＳＣ方式が適用されており、１／３０（１／６０）秒間隔ごとに１フレーム（１フィールド）分の画像信号が順次読み出され、初期信号処理回路５５へ送られる。
【００１７】
初期信号処理回路５５では、後述するように、カラー画像信号に対して色調整処理を含む様々な処理が施され、輝度信号および色差信号が映像信号として生成される。また、初期信号処理回路５５には、ＣＣＤ５４を駆動するためのＣＣＤドライバ（図示せず）が含まれており、ＣＣＤドライバからＣＣＤ５４へ駆動信号が出力される。生成された映像信号は、プロセッサ信号処理回路２８へ送られるとともに、輝度信号は調光回路２３へ送られる。また、調光回路２３へ順次送られる１フレーム分（１フィールド分）の輝度信号に合わせて、所定のタイミングの同期信号等が初期信号処理回路５５から調光回路２３へ送られる。
【００１８】
プロセッサ信号処理回路２８では、初期信号処理回路５５送られてくる映像信号に対して所定の処理が施される。処理された映像信号は、ＮＴＳＣコンポジット信号、Ｙ／Ｃ分離信号（いわゆるＳビデオ信号）、ＲＧＢ分離信号などのビデオ信号としてモニタ３２へ出力され、これにより被写体像がモニタ３２に映し出される。
【００１９】
システムコントロール回路２２内のＣＰＵ２４は、プロセッサ１０全体を制御し、調光回路２３、ランプ制御部１１Ａ、プロセッサ信号処理回路５５などの各回路に制御信号を出力する。タイミングコントロール回路３０では、信号の処理タイミングを調整するクロックパルスがプロセッサ１０内の各回路に出力され、また、ビデオ信号に付随される同期信号がプロセッサ信号処理回路２８に送られる。また、システムコントロール回路２２内のＲＯＭ２５には、ランプ１２の種類に関するデータがあらかじめ記憶されている。
【００２０】
ライトガイド５１の入射端５１Ａと集光レンズ１４との間には被写体Ｓに照射される光の光量を調整のため絞り１６が設けられており、モータ１８の駆動によって開閉する。本実施形態では、ＤＳＰ（Digital Signal Processor）である調光回路２３によって絞り１６を通過する光、すなわち被写体Ｓへ照射される光の光量調整が行われる。初期信号処理回路５５から出力される輝度信号は、Ａ／Ｄ変換器（図示せず）によってデジタルの輝度信号に変換された後、調光回路２３へ入力される。この輝度信号に基き、調光回路２３からモータドライバ２０へ制御信号が送られ、モータ１８がモータドライバ２０によって駆動される。これにより、絞り１６が所定の開度まで開く。
【００２１】
ビデオスコープ５０内には、ビデオスコープ５０全体を制御するスコープ制御部５６と、ビデオスコープ５０の特性（画素数など）とともに後述する色調整に関するデータがあらかじめ記憶されたＥＥＰＲＯＭ５７とが設けられている。スコープ制御部５６は、初期信号処理回路５５を制御するとともに、ＥＥＰＲＯＭ５７からデータを読みだす。ビデオスコープ５０がプロセッサ１０に接続されると、スコープ制御部５６とシステムコントロール回路２２との間でデータが送受信され、スコープ特性に関するデータがスコープ制御部５６からシステムコントロール回路２２へ送られるとともに、ランプ特性に関するデータがシステムコントロール回路２２からスコープ制御部５６へ送られる。
【００２２】
フロントパネル９６には、自動調光において基準となる参照輝度値の設定をするための設定スイッチ（図示せず）が設けらており、オペレータが設定スイッチを操作することによって設定された値に応じた信号がシステムコントロール回路２２へ送られる。この参照輝度値のデータは、ＲＡＭ２６へ一時的に格納されるとともに、必要に応じてシステムコントロール回路２２から調光回路２３へ送られる。また、キーボード３４において患者情報などの文字情報をモニタ３２に表示するためキー操作がなされると、キーボード３４操作に応じた信号がシステムコントロール回路２２へ入力され、その信号に基き、プロセッサ信号処理回路２８においてキャラクタ信号が映像信号にスーパーインポーズされる。
【００２３】
図２は、図１の初期信号処理回路５５を詳細に示した図であり、図３は、ＥＥＰＲＯＭ５７にあらかじめ記憶されている色調整に関するデータ表を示す図である。
【００２４】
ＣＣＤ５４から読み出された画像信号は、初期信号処理回路５５内のプロセス回路（図示せず）において増幅処理などが施され、信号分離処理回路６０に送られる。信号分離処理回路６０では、所定のラインごとに読み出された画像信号が輝度信号Ｙａと色信号Ｃに分離される。分離された画像信号は、ＲＧＢマトリックス回路６２へ送られる。
【００２５】
ＲＧＢマトリックス回路６２では、分離された輝度信号Ｙａと色信号Ｃに基いて、赤色（Ｒ），緑色（Ｇ），青色（Ｂ）の原色信号が以下の式により求められる。ただし、“ＣＲ”は色信号Ｃのうち“Ｒ−Ｙ”の色差信号に相当する“２Ｒ−Ｇ”の信号であり、“ＣＢ”は、色信号Ｃのうち“−（Ｂ−Ｙ）”の色差信号に相当する“―（２Ｂ−Ｇ）”の信号である。また、“α、β”の値は、それぞれスコープ制御部５６から送られてくるデータ信号“ＲＭＴＸ”、“ＢＭＴＸ”の値を示す。
Ｒ＝ＣＲ＋α・Ｙａ                                          ・・・（１）
Ｂ＝ＣＢ＋β・（Ｙａ−ＣＲ）                                ・・・（２）
Ｇ＝Ｙａ−ＣＲ−ＣＢ                                        ・・・（３）
生成されたＲ，Ｇ，Ｂの原色信号はホワイトバランス回路６４へ送られる。
【００２６】
ホワイトバランス回路６４では、原色信号のうちＲ，Ｂの信号に対してゲインコントロールが施される。電子内視鏡装置の初期設定段階では、Ｒ，Ｂのゲイン値は、得られたランプ特性に関するデータに基づいてＥＥＰＲＯＭ５７から色調整に関するデータ（色調整データ）を読み出したスコープ制御部５６からそれぞれ送られてくる初期ゲインデータ信号“ＲＧＡＩＮ”、“ＢＧＡＩＮ”の定められ、この値は、ランプの種類に応じて異なる。一方、観察時においては、同じくスコープ制御部５６から送られてくるゲインデータ信号“ＲＣＯＮＴ”、“ＢＣＯＮＴ”の値に基いてゲインコントロールが施される。さらに、ホワイトバランス回路６４では、色信号Ｃに対してもゲインコントロールが施される。このときのゲイン値は、スコープ制御部５６から送られてくるゲインデータ信号“ＣＬＥＶＥＬ”の値となる。ホワイトバランス調整等がされた原色信号は、ガンマ補正回路６６へ送られる。
【００２７】
ガンマ補正回路６６では、ガンマ補正が施される。このときのガンマ特性曲線は、スコープ制御部５６から送られてくるガンマ特性データ信号“Ｃ−γＣＯＮＴ”の値に従う。ガンマ補正された信号は、カラーマトリックス回路６８へ送られる。カラーマトリックス回路６８では、Ｒ，Ｇ，Ｂの原色信号に基いて、輝度信号Ｙ、色差信号Ｃｂ（＝Ｂ−Ｙ）、Ｃｒ（＝Ｒ−Ｙ）が映像信号として生成される。色差信号Ｃｂ、Ｃｒに対しては、スコープ制御部５６からそれぞれ送られてくる位相コントロールデータ信号“ＣｂＨＵＥ”、“ＣｒＨＵＥ”に基いて、色相に関する位相の調整が施される。また、スコープ制御部５６からそれぞれ送られてくる出力レベル調整データ信号“ＣｂＧＡＩＮ”、“ＣｒＧＡＩＮ”に基いて、出力される色差信号Ｃｂ、Ｃｒの出力レベルが調整される。輝度信号Ｙ、色差信号Ｃｂ、Ｃｒは、それぞれプロセッサ１０へ送られる。
【００２８】
スコープ制御部５６から初期信号処理回路５５へ送られるデータ信号は、ＥＥＰＲＯＭ５７にあらかじめデータとして記憶されている色調整に関するデータに従っており、色調整データはＥＥＰＲＯＭ５７の所定のアドレスに格納されている（図３参照）。本実施形態では、３種類のランプの種類ごとに色調整に関するデータがそれぞれ用意され、キセノンランプ用の色データＫＤ、メタルハライドランプ用の色データＭＤ、ハロゲンランプ用の色データＨＤとして格納されている。例えば、使用されるランプ１２がキセノンランプである場合、色データＫＤがＥＥＰＲＯＭ５７から読み出され、“ＲＧＡＩＮ”、“ＣｂＨＵＥ”などのデータ信号としてスコープ制御部５６から初期信号処理回路５５へ送られる。なお、スコープ制御部５６から出力されるデータ信号は、Ｄ／Ａ変換器（図示せず）においてアナログ信号に変換された後、初期信号処理回路５５へ送られる。
【００２９】
本実施形態では、キセノンランプ用の色データＫＤ、メタルハライドランプ用の色データＭＤ、ハロゲンランプ用の色データＨＤの各色調整処理に関するデータ信号は、ランプ毎にそのランプ特性に対応した固有の値をもつ。例えば、キセノンランプ用の色データＫＤのデータ信号“ＲＧＡＩＮ”、“ＢＧＡＩＮ”は、キセノンランプの光が白色光に近いことからほぼ同じゲイン値となるのに対して、ハロゲンランプ用の色データＨＤの初期ゲインデータ信号“ＲＧＡＩＮ”、“ＢＧＡＩＮ”は、ハロゲンランプの光が黄色光に近いことから、“ＲＧＡＩＮ”の値が“ＢＧＡＩＮ”の値に比べて小さい。
【００３０】
図４は、図５は、スコープ接続における色調整用データの抽出処理を示したフローチャートである。図４に示す処理は、プロセッサ１０のシステムコントロール回路２２で実行される抽出処理に関連した処理であり、図示しないメインルーチンの中にある１つのステップのサブルーチンとして示してある。一方、図５に示す処理は、ビデオスコープ５０側のスコープ制御部５６で実行される処理である。
【００３１】
ステップ１０１では、ビデオスコープ５０が接続されているか否かを検出するための信号データがシステムコントロール回路２２に取り込まれる。そして、ステップ１０２では、ビデオスコープ５０が接続されたか否かが判定される。ビデオスコープ５０が接続されていないと判断された場合、ステップ１０１に戻る。一方、ビデオスコープ５０が接続されたと判断された場合、ステップ１０３へ進む。
【００３２】
ステップ１０３では、ビデオスコープ５０のスコープ制御部５６と相互にデータ通信を行うための準備処理が施される。そして、ステップ１０４では、ランプ１２の種類に基づくランプ特性に関するデータがスコープ制御部５６へ送られる。ステップ１０４が実行されると、ステップ１０５へ進む。
【００３３】
ステップ１０５では、ランプ特性に関するデータを受け取ったことを確認する確認データがスコープ制御部５６から送られてきているか否かが判定される。確認データが送られてきていないと判断されると、ステップ１０４へ戻る。一方、確認データが送られてきていると判断された場合、ステップ１０６へ進み、スコープ制御部５６とのデータ通信を終了する。データ通信が終了すると、メインルーチンへ戻る。
【００３４】
次に、図５に示すスコープ制御部５６において実行される処理を説明すると、ステップ２０１では、プロセッサ１０からランプ特性に関するデータを送信することを要求する処理が施される。そして、ステップ２０２では、ランプ特性に関するデータの受信が可能であるか否かが判定される。ランプ１２の種類に関するデータの受信が可能でないと判断されると、ステップ２０１に戻る。一方、ランプ１２の特性に関するデータの受信が可能であると判断されると、ステップ２０３へ進む。
【００３５】
ステップ２０３では、プロセッサ１０からランプ１２の特性に関するデータが受信される。そして、ステップ２０４では、送られてきたデータが適正なデータであるか、すなわちランプ１２の種類に関するデータが送られてきているか否かが判定される。送られてきたデータが適正でない、すなわちランプ特性に関するデータとは異なるデータであると判断されると、ステップ２０５に移り、プロセッサ１０のシステムコントロール回路２２へデータの再送信を要求する。一方、送られてきたデータが適正であると判断された場合、ステップ２０６へ進む。
【００３６】
ステップ２０６では、ランプ１２の特性に関するデータを受信したこと示す確認データがシステムコントロール回路２２へ送られる。そして、ステップ２０７では、受信したデータに基き、ランプ１２の種類が判別される。ステップ２０８では、ランプ１２の種類に従って、ＥＥＰＲＯＭ５７から対応する色データを読み出され、初期信号処理回路５５へデータ信号が送られる。
【００３７】
このように本実施形態によれば、ＥＥＰＲＯＭ５７にあらかじめキセノンランプ用の色データＫＤ、メタルハライドランプ用の色データＭＤ、ハロゲンランプ用の色データＨＤから構成される色調整データが格納されており、図５のステップ２０７においてランプ１２の種類が判別されると、ランプの種類に応じた色データが読み出され、初期信号処理回路５５へ送られる。初期信号処理回路５５では、送られてきたデータ信号に基き、色分離処理回路６０における色分離処理、ＲＧＢマトリックス回路６２におけるＲ，Ｇ，Ｂの原色信号生成処理、ホワイトバランス回路６４におけるホワイトバランス調整処理、ガンマ補正回路６６におけるガンマ補正処理、カラーマトリックス回路６８における映像信号生成処理が実行され、各回路の中でそれぞれ色調整処理が実行される。このようにランプ１２の種類に応じた色調整処理が施されるため、ランプ１２の種類の異なる複数のプロセッサに対して１つのビデオスコープ５０を共有して使用することができ、電子内視鏡装置およびシステムの簡素化、経済的コスト低減を図ることができる。
【００３８】
本実施形態では、補色カラーフィルタを用い、画素信号の読み出し方式として色差線順次方式が適用されているが、Ｒ，Ｇ，Ｂの原色カラーモザイクフィルタを使用し、また、ベイヤ−方式などを適用してもよい。この場合、初期信号処理回路５５内の回路構成は、原色カラーフィルタ、ベイヤ−方式に従った回路構成となる。また、撮像方式として、同時式だけでなく、面順次方式にも適用可能である。また、本実施形態では、モニタへのビデオ出力方式としてＮＴＳＣ方式が適用されているが、他の方式についても本発明を適用可能である。
【００３９】
ランプの種類に関しては、キセノン、メタルハライドランプ、ハロゲンランプに限定されず、他のランプ、例えばＬＥＤを使用してもよい。この場合、使用されるランプの分光特性に従って色データが用意される。
【００４０】
本実施形態では、キセノンランプ用の色データＫＤ、メタルハライドランプ用の色データＭＤ、ハロゲンランプ用の色データＨＤの各色調整処理に関するデータ信号は、ランプ毎に全て異なった値をもつが、所定のデータ信号のみランプ毎に異なるように構成してもよい。例えば、ガンマ特性データ信号“Ｃ−γＣＯＮＴ”に対応するデータを各ランプ毎に共通の値としてもよい。
【００４１】
本実施形態では、色調整処理がビデオスコープ５０内で実行されているが、プロセッサ１０内において色調整処理を行ってもよい。例えば、プロセッサが、モニタに接続される信号処理装置とビデオスコープ内の光ファイバ束が接続される光源装置とに別々に用意された電子内視鏡装置の場合、ランプの種類の異なる光源装置を必要に応じて変更しても、信号処理装置、ビデオスコープをそのまま共有して使用することができる。
【００４２】
【発明の効果】
以上のように本発明によれば、電子内視鏡装置において様々な種類の光源ランプそれぞれに応じて色調整処理を行うことができる。
【図面の簡単な説明】
【図１】本実施形態である電子内視鏡装置のブロック図である。
【図２】図１の初期信号処理回路を詳細に示した図である。
【図３】ＥＥＰＲＯＭにあらかじめ記憶されている色調整に関するデータ表を示す図である。
【図４】スコープ接続においてプロセッサ側で実行される色調整用データの抽出処理を示したフローチャートである。
【図５】スコープ接続においてスコープ側で実行される色調整用データの抽出処理を示したフローチャートである。
【符号の説明】
１０    プロセッサ
１２    ランプ（光源ランプ）
２２    システムコントロール回路
３２    モニタ（表示装置）
５０    ビデオスコープ
５４    ＣＣＤ（撮像素子）
５５    初期信号処理回路（色調整処理手段）
５６    スコープ制御部
５７    ＥＥＰＲＯＭ（色データメモリ）
６０    信号分離処理回路
６２    ＲＧＢマトリックス回路（原色信号生成手段）
６４    ホワイトバランス回路（ホワイトバランス調整手段）
６６    ガンマ補正回路（ガンマ補正処理手段）
６８    カラーマトリックス回路（映像信号生成手段）
【図１】
0004338337.tif 000002
【図２】
0004338337.tif 000003
【図３】
0004338337.tif 000004
【図４】
0004338337.tif 000005
【図５】
0004338337.tif 000006